(57)【要約】【課題】ユーザの所有する端末に対して適切なメタデータを提供するメタデータ転送装置を提供する。【解決手段】通信ネットワークにおいてメタデータを転送するメタデータ転送装置（２０）は、メタデータ提供装置（１０）から提供されたメタデータを蓄積するメタデータ蓄積部（２０３）と、蓄積されたメタデータを整列するメタデータ整列規則を蓄積する規則蓄積部（２０５）と、蓄積されたメタデータをメタデータ整列規則に基づいて整列する整列部（２０２）と、整列されたメタデータを通信する通信部（２０８）とを有する。【選択図】図１
2008210042.tif 000002
【特許請求の範囲】
【請求項１】
通信ネットワークにおいてメタデータを転送するメタデータ転送装置であって、
メタデータを提供するメタデータ提供装置から提供されたメタデータを蓄積するメタデータ蓄積手段と、
前記メタデータ蓄積手段に蓄積されたメタデータを整列するメタデータ整列規則を蓄積する規則蓄積手段と、
前記メタデータ蓄積手段に蓄積された前記メタデータを前記メタデータ整列規則に基づいて整列する整列手段と、
前記整列手段によって整列されたメタデータを通信する通信手段と、
を有することを特徴とするメタデータ転送装置。
【請求項２】
前記メタデータは、ドキュメントの見出しおよび要約の少なくとも一方のリストを提供する信号データであることを特徴とする請求項１に記載のメタデータ転送装置。
【請求項３】
前記メタデータ整列規則は、マークアップ言語によって記述されるルールであることを特徴とする請求項１に記載のメタデータ転送装置。
【請求項４】
通信ネットワークにおいてメタデータを転送するメタデータ転送システムであって、
メタデータを蓄積する蓄積手段、および
前記蓄積手段に蓄積されたメタデータを通信する手段
を有するメタデータ提供装置と、
前記メタデータ提供装置から提供されたメタデータを蓄積するメタデータ蓄積手段、
前記メタデータ蓄積手段に蓄積されたメタデータを整列するメタデータ整列規則を蓄積する規則蓄積手段、
前記メタデータ蓄積手段に蓄積された前記メタデータを前記メタデータ整列規則に基づいて整列する整列手段、および
前記整列手段によって整列されたメタデータを通信する手段
を有するメタデータ転送装置と
を有することを特徴とするメタデータ転送システム。
【請求項５】
通信ネットワーク内のメタデータ転送システムにおいてメタデータを転送するメタデータ転送方法であって、
メタデータを整列するメタデータ整列規則を蓄積する規則蓄積ステップと、
メタデータを提供するメタデータ提供装置から提供されたメタデータを蓄積するメタデータ蓄積ステップと、
蓄積された前記メタデータを前記メタデータ整列規則に基づいて整列する整列ステップと、
整列された前記メタデータを通信する通信ステップと
を有することを特徴とするメタデータ転送方法。
【発明の詳細な説明】
【技術分野】
【０００１】
本発明は、通信ネットワークにおいてメタデータを転送する装置、システム及び方法に関する。
【背景技術】
【０００２】
従来、ある端末環境と、これとは異なる端末環境で、通信ネットワークを通じてサービスの提供を受けるために、異なる端末環境にあわせてサービス形態を表す情報変更しサービスを継続して利用することができるサービス中継復元システムが知られている（例えば、特許文献１参照）。
【０００３】
また、メタデータを転送する途中にデータ圧縮することによりネットワークの負荷を軽減できるデータ転送装置（例えば、特許文献２参照）、ネットワーク間に転送データを格納し効率的なデータ転送処理を行うデータ転送装置（例えば、特許文献３参照）、メタデータの特徴に基づいてメタデータの再編成を行うメタデータ編集装置（例えば、特許文献４参照）が知られている。
【０００４】
また、メタデータ提供サービスをブラウジングするアプリケーションとして、ＲＳＳ（RDF Site Summary）データを受信して表示するブラウザ型ＲＳＳリーダやティッカー型ＲＳＳリーダが提供されている。
【０００５】
また、ネットワークに接続するユーザの嗜好情報を取得する手法がいくつか知られている。複数の端末が接続して構成されるネットワークにおいて、各端末の持つ情報量がネットワーク全体の情報量となるため、各端末の情報を特定することが重要になる。これらの情報を基にネットワークを利用する端末は欲しい情報や興味のあるグループを検索する。また、新たな端末がネットワークに加入する場合、端末を操作する個人の嗜好情報を特定する方法としては、特定のフォーマット名前や趣味を記述する方法がよく知られている。また、加入後に各端末の嗜好情報を特定する先行事例として、クライアントアプリケーションの選択やユーザアクションから嗜好を特定する方法が知られている（例えば、特許文献５参照）。また、嗜好情報からキーワードを作成し、本体プログラムあるいは同期して動作するエージェントが代理で自動検索を行う。あるいは、質問に対するレスポンスでユーザの嗜好を把握する方法が知られている（例えば、特許文献６参照）。また、嗜好情報による検索の先行事例としては、プロファイルをマッチングして絞り込み、同じ嗜好を持ったユーザを紹介する方法が知られている（例えば、特許文献７参照）。あるいは、嗜好情報の履歴から抽出結果をファイリングして嗜好情報の絞り込みを行うことが知られている（例えば、特許文献８参照）。また、初めてネットワークに加入したユーザから個人の嗜好情報が確実に特定できる嗜好情報収集システムが知られている（例えば、特許文献９参照）。
【０００６】
また、利用者の嗜好や状況に応じた広告配信サービスを実現する広告装置が知られている（例えば、特許文献１０参照）。例えば、アーティストの音楽データを配信する際、利用者の嗜好で「女性アーティストには興味があるが、男性アーティストには興味がない」場合の例をあげる。配信データが女性アーティストの音楽データである場合は、利用者の興味があるため、広告を挿入せず、配信データが男性アーティストの音楽データの場合、利用者の興味がないため、広告を挿入するといった判定が行われる。
【０００７】
情報ページ毎にカテゴリを付与し、情報ページ毎にＲＳＳデータを生成しておき、ユーザがカテゴリを指定すると所望のＲＳＳデータをユーザに対して提供する装置が知られている（例えば、特許文献１１参照）。
【０００８】
【特許文献１】特開２００４−９６４２０号公報
【特許文献２】特開２００３−３４５７０８号公報
【特許文献３】特開２００１−５３８１０号公報
【特許文献４】ＷＯ２００３−０８８６６５号パンフレット
【特許文献５】特開２００１−５２０２０号公報
【特許文献６】特開２００２−１５１９９号公報
【特許文献７】特開２００１−２２２６０７号公報
【特許文献８】特開２００１−２４９９２５号公報
【特許文献９】特開２００４−１９２５８１号公報
【特許文献１０】特開２００３−１９６５３６号公報
【特許文献１１】特開２００６−２４４４３０号公報
【発明の開示】
【発明が解決しようとする課題】
【０００９】
通信ネットワークにおいてメタデータを転送する試みでは、サーバに関する技術として、ブログ（Blog）やウェブページからの要約情報を自動生成する方法（例えば、重要テキストの抽出による要約、メタデータからの抽出）、プロキシに関する技術として、メタデータへの優先順位を付与する方法（例えば、ユーザプロファイルでの特定ジャンルの指定、特定キーワードや最終更新時間による重要度の判定）、クライアントにあわせてメタデータを変更する方法（例えば、携帯端末別に配信データを変更、テキストと画像の切り換え）、端末に関する技術として、配信デバイスと配信メディアの変更方法（例えば、ユーザの近場のデバイスの選択、提供アプリケーションとの切り換え）、端末上でのデータ検索手法（例えば、携帯端末から簡単に検索する方法）が課題として考えられる。本発明では、プロキシ技術に関して解決することを課題とする。
【００１０】
本発明は、このような問題に鑑みてなされたもので、その目的とするところは、ユーザの所有する端末に対して適切なメタデータを提供することができるメタデータ転送装置、システム及び方法を提供することにある。また、インターネットにおけるニュース等の配信サービスの効率化を図ることができるメタデータ転送装置、システム及び方法を提供することにある。
【課題を解決するための手段】
【００１１】
本発明は、このような目的を達成するために、請求項１に記載の発明は、通信ネットワークにおいてメタデータを転送するメタデータ転送装置であって、メタデータを提供するメタデータ提供装置から提供されたメタデータを蓄積するメタデータ蓄積手段と、前記メタデータ蓄積手段に蓄積されたメタデータを整列するメタデータ整列規則を蓄積する規則蓄積手段と、前記メタデータ蓄積手段に蓄積された前記メタデータを前記メタデータ整列規則に基づいて整列する整列手段と、前記整列手段によって整列されたメタデータを通信する通信手段と、を有することを特徴とするメタデータ転送装置。
【００１２】
請求項２に記載の発明は、請求項１に記載のメタデータ転送装置であって、前記メタデータは、ドキュメントの見出しおよび要約の少なくとも一方のリストを提供する信号データであることを特徴とする。
【００１３】
請求項３に記載の発明は、請求項１に記載のメタデータ転送装置であって、前記メタデータ整列規則は、マークアップ言語によって記述されるルールであることを特徴とする。
【００１４】
請求項４に記載の発明は、通信ネットワークにおいてメタデータを転送するメタデータ転送システムであって、メタデータを蓄積する蓄積手段、および前記蓄積手段に蓄積されたメタデータを通信する手段を有するメタデータ提供装置と、前記メタデータ提供装置から提供されたメタデータを蓄積するメタデータ蓄積手段、前記メタデータ蓄積手段に蓄積されたメタデータを整列するメタデータ整列規則を蓄積する規則蓄積手段、前記メタデータ蓄積手段に蓄積された前記メタデータを前記メタデータ整列規則に基づいて整列する整列手段、および前記整列手段によって整列されたメタデータを通信する手段を有するメタデータ転送装置とを有することを特徴とする。
【００１５】
請求項５に記載の発明は、通信ネットワーク内のメタデータ転送システムにおいてメタデータを転送するメタデータ転送方法であって、メタデータを整列するメタデータ整列規則を蓄積する規則蓄積ステップと、メタデータを提供するメタデータ提供装置から提供されたメタデータを蓄積するメタデータ蓄積ステップと、蓄積された前記メタデータを前記メタデータ整列規則に基づいて整列する整列ステップと、整列された前記メタデータを通信する通信ステップとを有することを特徴とする。
【発明の効果】
【００１６】
以上説明したように、本発明によれば、ユーザの所有する端末に対して適切なメタデータを提供することが可能となる。また、インターネットにおけるニュース等の配信サービスの効率化が図れる。
【発明を実施するための最良の形態】
【００１７】
以下、図面を参照しながら本発明の実施形態について詳細に説明する。  
図１は、本発明の一実施形態にかかるメタデータ転送システムを示す構成図である。メタデータ転送システムは、メタデータ提供装置１０、メタデータ転送装置２０およびメタデータ受信装置３０を有する。
【００１８】
メタデータ提供装置１０は、表示部１０１、蓄積部１０２、ユーザインターフェース（ＵＩ）部１０３、評価部１０４、通信部１０５および制御部１５１からなる。
【００１９】
表示部１０１は、蓄積部１０２に蓄積されたデータを表示し、例えば、ウィンドウに画像情報を表示したり、コマンドラインに文字情報を表示したりする機能を提供する。
【００２０】
蓄積部１０２は、メタデータ提供装置１０が提供するデータを蓄積し、例えば、マークアップ言語で記述されたデータをハードディスクやメモリに保存する機能を提供する。メタデータは、Ｗ３Ｃ（World Wide Web Consortium）にて標準化されているＸＭＬ（Extensible Markup Language）を用いることができる。
【００２１】
ＵＩ部１０３は、蓄積部１０２に蓄積されたデータを変更するためのユーザインターフェースであり、例えば、テキストボックスを用いた文字情報の編集、ラジオボタンやチェックボックスを用いた設定情報の変更を可能にする機能を提供する。
【００２２】
評価部１０４は、蓄積部１０２に蓄積されたデータを評価し、例えば、データ転送速度やファイルサイズの測定を行う機能を提供する。
【００２３】
通信部１０５は、メタデータ転送装置２０との間で、蓄積部１０２に蓄積されたデータを送受信する機能を提供する。通信部１０５は、例えば、ネットワークインターフェースカード（ＮＩＣ）である。
【００２４】
制御部１５１は、上述したメタデータ提供装置１０の各部の監視や制御を行う機能を提供する。制御部１５１は、例えば、コンピュータプログラムが常時起動した状態で各部が正常に動作しているかを監視する。
【００２５】
メタデータ転送装置２０は、表示部２０１、整列部２０２、蓄積部２０３、評価部２０４、規則蓄積部２０５、ＵＩ部２０６、圧縮部２０７、通信部２０８および制御部２５１からなる。
【００２６】
表示部２０１は、蓄積部２０３に蓄積されたデータを表示する。
【００２７】
整列部２０２は、蓄積部２０３に蓄積されたデータの整列や変更を行い、例えば、日付や特定キーワードに基づいてデータを抽出し、これを参照してデータの整列や変更を行う機能を提供する。
【００２８】
蓄積部２０３は、メタデータ提供装置１０から受信するデータや圧縮データを蓄積する機能を提供する。例えば、蓄積部２０３は、マークアップ言語で記述されたデータをハードディスクやメモリに蓄積する。
【００２９】
評価部２０４は、蓄積部２０３に蓄積されたメタデータを評価し、例えば、データ転送速度やファイルサイズの測定を行う機能を提供する。
【００３０】
規則蓄積部２０５は、蓄積部２０３に蓄積されたメタデータを整列するメタデータ整列規則を蓄積する機能を提供する。メタデータ整列規則は、マークアップ言語の一つであるＲｕｌｅＭＬ（Rule Markup Language）を用いたデータ構造とするこができる。メタデータ整列規則は、ユーザを識別する情報、当該ユーザが興味を示す特定ジャンルや特定キーワードおよび更新時間等を優先順位と関連づけて格納することができる。
【００３１】
ＵＩ部２０６は、蓄積部２０３に蓄積されているデータを編集するユーザインターフェースであり、例えば、テキストボックスを用いた文字情報の編集、ラジオボタンやチェックボックスを用いた設定情報の変更を可能にする機能を提供する。
【００３２】
圧縮部２０７は、蓄積部２０３に蓄積されたデータを圧縮する機能を提供する。例えば、圧縮部２０７は、タグ文字列の短縮、テキスト情報からバイナリ情報への変換を行うことにより、データを圧縮する。また、圧縮部２０７は、蓄積されたデータの一部を削除し、または分割することにより、データを圧縮する。
【００３３】
通信部２０８は、メタデータ提供装置１０やメタデータ受信装置３０との間で、データを送受信する機能を提供する。通信部２０８は、例えば、ネットワークインターフェースカード（ＮＩＣ）である。
【００３４】
制御部２５１は、上述したメタデータ転送装置２０の各部の監視や制御を行う機能を提供する。制御部２５１は、例えば、コンピュータプログラムが常時起動した状態で各部が正常に動作しているかを監視する。
【００３５】
メタデータ受信装置３０は、表示部３０１、蓄積部３０２、ＵＩ部３０３、評価部３０４、通信部３０５および制御部３５１からなる。
【００３６】
表示部３０１は、蓄積部３０２に蓄積されたデータを表示し、例えば、ウィンドウに画像情報を表示したり、コマンドラインに文字情報を表示したりする機能を提供する。
【００３７】
蓄積部３０２は、メタデータ転送装置２０から受信するデータを蓄積する機能を提供する。例えば、蓄積部３０２は、マークアップ言語で記述されたデータをハードディスクへ保存する。
【００３８】
ＵＩ部３０３は、蓄積部３０２に蓄積されたデータを編集するユーザインターフェースであり、例えば、例えば、テキストボックスを用いた文字情報の編集、ラジオボタンやチェックボックスを用いた設定情報の変更を可能にする機能を提供する。
【００３９】
評価部３０４は、蓄積部３０２に蓄積されたデータを評価し、例えば、データ転送速度やファイルサイズの測定を行う機能を提供する。
【００４０】
通信部３０５は、メタデータ転送装置２０との間で、データを送受信する機能を提供する。通信部３０５は、例えば、ネットワークインターフェースカード（ＮＩＣ）である。
【００４１】
制御部３５１は、上述したメタデータ受信装置３０の各部の監視や制御を行う機能を提供する。制御部３５１は、例えば、コンピュータプログラムが常時起動した状態で各部が正常に動作しているかを監視する。
【００４２】
図２は、本発明の一実施形態にかかるメタデータ転送システムにおける処理シーケンスを示す。以下、図２を参照して本発明の一実施形態にかかるメタデータ転送システムにおける処理シーケンスを説明する。
【００４３】
＜事前準備＞  
メタデータ提供装置１０において、提供するメタデータを蓄積部１０２に蓄積する（１−Ａ）。
【００４４】
メタデータ転送装置２０は、規則蓄積部２０５にメタデータ整列規則を蓄積する（２−Ａ）。メタデータ整列規則は、例えば、ユーザが特定フォームに名前や趣味を記述する方法によって作成され、マークアップ言語によって記述される。メタデータ転送装置２０は、このような特定フォームをユーザに提供する機能も有する。
【００４５】
＜メタデータの転送＞  
メタデータ転送装置２０は、通信部２０８においてメタデータ提供装置１０へメタデータ要求メッセージを送信する（２−Ｂ）。メタデータ要求メッセージは単位時間間隔で送信してもよく、あるいは以下に説明するようなメタデータ受信装置２０からのメタデータ要求メッセージの受信などの特定のイベントの発生に応答して送信してもよい。
【００４６】
次いで、メタデータ提供装置１０は、通信部１０５においてメタデータ転送装置２０からのメタデータ要求メッセージを受信する（１−Ｂ）。
【００４７】
メタデータ提供装置１０は、蓄積部１０２からメタデータ１２１を取得し（１−Ｃ）、通信部１０５においてメタデータ転送装置２０へ得したメタデータ１２１を送信する（１−Ｄ）。
【００４８】
次いで、メタデータ転送装置２０は、通信部２０８においてメタデータ提供装置１０からメタデータ１２１を受信し（２−Ｃ）、受信したメタデータ１２１を蓄積部２０３へ蓄積する（２−Ｄ）。
【００４９】
メタデータ転送装置２０は、規則蓄積部２０５からメタデータ整列規則を取得し（２−Ｅ）、整列部２０２へ供給する。また、メタデータ転送装置２０は、蓄積部２０３からメタデータ１２１を取得し（２−Ｆ）、整列部２０２へ供給する。
【００５０】
メタデータ転送装置２０の整列部２０２は、メタデータ整列規則に基づいてメタデータ１２１を整列する（２−Ｇ）。例えば、整列部２０２は、特定のキーワードの優先順位に従って入力されたメタデータ１２１を整列し、整列されたメタデータ２２１を出力する。
【００５１】
次いで、メタデータ受信装置３０は、通信部３０５においてメタデータ転送装置２０へメタデータ要求メッセージを送信する（３−Ａ）。メタデータ要求メッセージは単位時間間隔で送信してもよく、あるいは受信するメタデータを処理するブラウザなどのアプリケーションプログラムの起動といった特定のイベントの発生に応答して送信してもよい。
【００５２】
次いで、メタデータ転送装置２０は、通信部２０８においてメタデータ受信装置３０からのメタデータ要求メッセージを受信し、これに応答してメタデータ受信装置３０へ整列部２０２において整列したメタデータ２２１を送信する（２−Ｈ）。
【００５３】
次いで、メタデータ受信装置３０は、通信部３０５においてメタデータ転送装置２０からメタデータ２２１を受信し（３−Ｂ）、蓄積部３０２へ受信したメタデータ２２１を蓄積する。
【００５４】
メタデータ受信装置３０は、蓄積部３０２から蓄積したメタデータ２２１を取得し（３−Ｅ）、表示部３０１で取得したメタデータ２２１を表示する（３−Ｅ）。これにより、ウィンドウへ画像情報を表示したり、コマンドラインへテキスト情報を表示したりすることができる。
【００５５】
以下、本発明の具体的な実施例を説明する。  
メタデータ転送システムとしてＲＳＳ（RDF Site Summary）サービスシステムを想定する。ここで、ＲＳＳサービスとは、メタデータあるいはＲＤＦ（Resource Description Framework）の応用として利用されるＸＭＬ（Extensible Markup Language）フォーマットの総称されるＲＳＳを用いて、共通の書式でドキュメントの見出しや要約など提供することで、サイトの更新情報などを効率的に公開するために用いられるサービスである。
【００５６】
提供される情報は、例えば、ニュース、ブログ、天気、自動車、ショッピング等に関する情報である。
【００５７】
図３に、従来のＲＳＳサービスシステムの構成および本発明の実施形態にかかるメタデータ転送システムの構成を並べて示す。
【００５８】
図３に示すように、従来のＲＳＳサービスシステム１０００は、ブログ・ウェブサイト１００１と、ＲＳＳサーバ１００２と、ＲＳＳリーダ１０３からなる。
【００５９】
ブログ・ウェブサイト１００１は、ユーザから書き込まれた公開する情報に関する電子データを公開する。ＲＳＳサーバ１００２は、ブログ・ウェブサイト１００１から公開された電子データを受信し、その情報を要約して、ＲＳＳリーダ１００３へ提供する。
【００６０】
ＲＳＳリーダ１００３は、ＲＳＳサーバ１００２によって提供されるＲＳＳデータをダウンロードなどにより受信し、ユーザに対して表示する。
【００６１】
ブログ・ウェブサイト１００１およびＲＳＳサーバ１００２は、ＨＴＴＰ（Hypertext Transfer Protocol）により、情報を送受信するＨＴＴＰサーバとすることができる。
【００６２】
一方、本願発明を適用したＲＳＳサービスシステム１０１０は、ブログ・ウェブサイト１０１１と、メタデータ提供装置１０としてのＲＳＳサーバ１０１２と、メタデータ転送装置２０としてのＲＳＳプロキシ１０１３と、メタデータ受信装置としてのＲＳＳリーダ１０１４とからなり、従来のＲＳＳサービスシステム１０００にＲＳＳリーダ１０１４が追加されている。
【００６３】
ブログ・ウェブサイト１０１１およびＲＳＳサーバ１０１２はそれぞれ、従来のＲＳＳサービスシステム１０００におけるブログ・ウェブサイト１００１およびＲＳＳサーバ１００２と同様に、ユーザから書き込まれた公開する情報に関する電子データを公開する機能およびブログ・ウェブサイト１００１から公開された電子データを要約して提供する機能を有する。
【００６４】
ここで、ＲＳＳサーバ１０１２から提供される要約された電子データは、ＲＳＳリーダ１０１４のユーザの嗜好とは無関係に生成されたものであり、また、ＲＳＳサーバ１０１２から提供される要約された電子データの整列順序もユーザの嗜好とは無関係である。さらに、要約された電子データに含まれるタイトルや更新日などの要素名や属性名は、多種多様である。
【００６５】
ＲＳＳプロキシ１０１３は、ＲＳＳサーバ１０１２によって提供される要約された電子データの複製を保持し、ＲＳＳリーダ１０１４のユーザの嗜好に適合するようにこれらの要約された電子データを編集して提供する。
【００６６】
例えば、ＲＳＳプロキシ１０１３は、ユーザの嗜好を規定したメタデータ整列規則を保持し、このメタデータ整列規則に基づいて、保持された要約された電子データ（複製）を整列して当該ユーザのＲＳＳリーダ１０１４へ提供する。
【００６７】
別の例として、メタデータ整列規則に、メタデータ受信装置３０の表示部３０１の表示機能や性能に対応する規則を規定し、ＲＳＳプロキシ１０１３は、メタデータ整列規則に従って、要約された電子データを分割し、あるいは要約された電子データ内の画像情報を削除しまたは当該画像を要約された電子データ内のテキストと置換してＲＳＳリーダ１０１４へ提供する。ＲＳＳプロキシ１０１３は、ＲＳＳリーダ１０１４（メタデータ受信装置３０）へ定期的に問い合わせて表示部３０１の表示機能や性能を収集するように構成してもよい。メタデータ受信装置３０は、表示部３０１の表示機能や性能に関する情報を予めメモリなどに格納しておき、ＲＳＳプロキシ１０１３からの問い合わせに応答して、これらの情報を送信する。あるいは、ＲＳＳプロキシ１０１３は、メタデータ受信装置３０の種類を識別する情報と対応する表示機能や性能に関する情報を関連づけてメモリなどに格納しておき、メタデータ受信装置３０は、ＲＳＳプロキシ１０１３からの問い合わせに応答して、予めメモリなどに格納された端末の種別を識別する情報を送信する。
【００６８】
さらに別の例として、メタデータ整列規則に、ＲＳＳプロキシ１０１３とＲＳＳリーダ１０１４との間の通信回線におけるデータ転送速度に対応する規則を規定し、ＲＳＳプロキシ１０１３は、メタデータ整列規則に従って、要約された電子データを分割し、あるいは要約された電子データ内の画像情報を削除しまたは当該画像を要約された電子データ内のテキストと置換してＲＳＳリーダ１０１４へ提供する。
【００６９】
上記のような要約された電子データを編集して提供する機能は、例えばＪａｖａ（登録商標）やＣ＋＋等のプログラム言語によって記述され、ＣＰＵによって実現されるように構成することができる。
【００７０】
ＲＳＳリーダ１０１４は、ＲＳＳプロキシ１０１３によって提供される要約された電子データをダウンロードなどにより受信して、ユーザに対して表示する。ＲＳＳリーダは、複数のペインを有するメーラ型リーダとすることができる。あるいは、ＲＳＳリーダ１０１４は、表示部に表示された小さなウィンドウ内に、要約された電子データの情報をテロップのように表示するティッカー型リーダとすることもできる。
【００７１】
このように、本願発明を適用したＲＳＳサービスシステム１０１０は、メタデータ転送装置２０としてのＲＳＳプロキシ１０１３を備えることにより、従来のＲＳＳサービスシステムと比べて、ＲＳＳリーダへよりユーザの嗜好に適した要約された電子データを提供することができる。
【００７２】
図４を参照して、本発明の一実施形態にかかるメタデータ整列規則の適用例を説明する。図４は、ブログ・ウェブサイト１０１１から提供されるブログ・ウェブデータがニュースデータである場合の適用例を示す。
【００７３】
ブログ・ウェブサイト１０１１は、キーワードに「結婚」を含み０１：２０：００に更新されたニュース１と、キーワードに「出産」を含み０１：２１：００に更新されたニュース２と、キーワードに「天気」を含み０１：２１：００に更新されたニュース３とをそれぞれニュースデータとして提供する。
【００７４】
ＲＳＳサーバ１０１２は、ブログ・ウェブサイト１０１１からニュース１、２および３のニュースデータを取得し、それぞれに対応するキーワードおよび更新時刻を含むＲＳＳデータ１、２および３を生成して提供する。
【００７５】
ＲＳＳプロキシ１０１３は、更新時刻が現在時刻に最も近いものほど重要であること、キーワードの重要度が結婚＞出産＞天気であること、キーワードよりも更新時刻が重要であることおよび配信頻度が１０分毎であることを規定したメタデータ整列規則が蓄積している。
【００７６】
現在の時刻を０１：２３：００とすると、メタデータ整列規則にしたがって提供されるＲＳＳデータの整列順序は、それぞれニュース２、ニュース３およびニュース１に関連するＲＳＳデータ２、ＲＳＳデータ３およびＲＳＳデータ１の順序となる。
【００７７】
次にＲＳＳプロキシ１０１３において、ＲＳＳサーバ１０１２から受信したＲＳＳデータを編集する処理について説明する。
【００７８】
ＲＳＳプロキシ１０１３は、ＲＳＳサーバ１０１２から受信したＲＳＳデータ中のタグ情報を用いて、比較的重要度の低いタグ情報の省略や圧縮を行うことができる。より詳細には、オプションデータの削除、名前空間の略称の設定、タイトルやコメントに記述された文字情報の圧縮（短縮）を行うことができる。このような編集の規則は、ユーザ毎にメタデータ整列規則に規定してもよく、あるいはＲＳＳプロキシ１０１３のすべてのユーザに適用されるように単一の規則をＲＳＳプロキシ１０１３のメモリに蓄積してもよい。
【００７９】
また、ＲＳＳプロキシ１０１３は、メタデータ整列規則を適用するために必要となるタグ情報の追加を行うことができる。より詳細には、データの更新日時の追加、イベント開始時刻の追加を行うことができる。
【００８０】
また、ＲＳＳプロキシ１０１３は、端末性能やネットワーク情報にあわせたＲＳＳデータの分割や整列を行うことができる。より詳細には、ＲＳＳプロキシ１０１３は、端末性能やネットワーク情報にあわせて、メタデータリストに含まれるメタデータの個数を調整し、またはメタデータリストに含まれるメタデータが所定の更新時間に更新されたものに限定されるように調整することができる。また、端末性能やネットワーク情報にあわせたＲＳＳデータ内の画像とテキストなどのメディア情報を置換することができる。例えば、端末（メタデータ受信装置３０）がテキスト表示能力しか搭載していない場合、ＲＳＳデータ内のimageタグで識別される画像情報をitemタグで識別されるテキスト情報に置換することができる。
【００８１】
以下、ＲＳＳデータを圧縮することによるＲＳＳ通信量の削減効果について説明する。ＲＳＳデータ内の<channel>タグ内の<link>要素のみを残し<channel>タグ外の要素を省略（削除）した場合、ＲＳＳデータのデータ量を統計的に５７％削減することができる。また、<channel>タグ外の<item>タグ内で、<title>要素のみを残し他の<link>および<description>要素を省略した場合、ＲＳＳデータのデータ量を統計的に４２％削減することができる。<channel>タグ外の<item>タグ内で、<title>および<description>要素のみを残し他の<link>要素を省略した場合、ＲＳＳデータのデータ量を統計的に１２％削減することができる。
【００８２】
上記のような圧縮を行う場合、標準で規定されているフォーマット外の特定フォーマットに対応するアプリケーションを用意して、圧縮を行う必要がある。具体的には、ＲＳＳ１．０形式またはＲＳＳ２．０形式に対応するメタデータを圧縮する場合には、独自フォーマットに圧縮されたメタデータを受信して復元した後にユーザに表示する機能を有するアプリケーションをＲＳＳリーダ１０１４として用意する必要がある。
【００８３】
なお、上記説明では、メタデータ転送装置２０に接続されたメタデータ提供装置１０が１つの場合を説明したが、メタデータ提供装置１０（ＲＳＳサーバ１０１２）は複数接続されてもよい。このような場合、本発明によれば、複数のＲＳＳサーバから提供される類似するメタデータを集約して、ＲＳＳリーダ１０１４に転送することができる。
【００８４】
また、上記説明では、ユーザ嗜好情報を取得するのに、インターネットによる市場調査方法としてのウェブマーケティングまたはビジネスウェブを用いる市場調査方法としてのブログマーケティング、巡回ロボットを用いて個人情報を取得する方法を用いることができる。例えば、ウェブマーケティングとしてアンケート形式でユーザの嗜好に対応するキーワードを収集することが考えられる。また、ブログマーケティングとしてビジネスブログにユーザ情報を投入してもらいデータを収集することが考えられる。また、巡回ロボットを用いた個人情報を取得する方法として、インターネットに接続している端末の情報を取得することが考えられる。
【図面の簡単な説明】
【００８５】
【図１】本発明の一実施形態にかかるメタデータ転送システムを示す構成図である。
【図２】本発明の一実施形態にかかるメタデータ転送システムの処理シーケンスを示す図である。
【図３】従来のＲＳＳサービスシステムと本発明の実施形態にかかるメタデータ転送システムを示す構成図である。
【図４】本発明の一実施形態にかかるメタデータ整列規則の適用例を説明するための図である。
【符号の説明】
【００８６】
１０  メタデータ提供装置
２０  メタデータ転送装置
３０  メタデータ受信装置
１０１、２０１、３０１  表示部
１０２、２０３、３０２  蓄積部
１０３、２０６、３０３  ユーザインターフェース（ＵＩ）部
１０４、２０４、３０４  評価部
１０５、２０８、３０５  通信部
１５１、２５１、３５１  制御部
２０２  整列部
２０５  規則蓄積部
２０７  圧縮部
【図１】
2008210042.tif 000003
【図２】
2008210042.tif 000004
【図３】
2008210042.tif 000005
【図４】
2008210042.tif 000006